(57)【要約】【課題】液体用容器から喫食時に内容物を取り出すことによって、内容物をまろやかな味としたり、旨味が増す等の食味を向上させることができる。【解決手段】液体用容器の容器口部に永久磁石を装着することを特徴とする、液体用容器。【選択図】      図２
2005022697.tif 000002
【特許請求の範囲】
【請求項１】
液体用容器の容器口部に永久磁石を装着することを特徴とする、液体用容器。
【発明の詳細な説明】
【０００１】
【発明の属する技術分野】
本発明は、飲料水、調味液、ジュース等の液体を収納する液体用容器に関する。
【０００２】
【従来の技術】
従来、液状食品を磁気処理することにより、味がまろやかになったり、旨味が増すことが知られている。古くは、酒石酸としゅう酸のナトリウム塩、カリウム塩を多量に含む強い濁りぶどう酒原液を磁気処理することによって、ぶどう酒の質が著しく改善されることが報告されている。
しかしながら、この磁気処理は、時間の経過と共に元の状態に戻ってしまう欠点があった。このような欠点を解消する手段として、１個以上の永久磁石をボトルカバーの側部や底部に配置固定した磁石付けボトルカバーが知られている（特許文献１参照）。
このボトルカバーは、ボトル容器が小さい場合にはある程度の効果を期待できるが、容量が多くなるに伴って磁石を多数配置固定しなければならず、そのためにボトルカバーの重量が増大し、取扱いが極めて不便であった。またボトル中の内容物が少なくなると効果が充分得られない等の欠点があった。
【０００３】
【特許文献１】
特開２００２−３６２５７１号公報
【０００４】
【発明が解決しようとする課題】
そこで本発明者等は、容器の容量に関係なく効率的に磁気処理する方法について種々検討した結果本発明を完成するに至った。
【０００５】
【課題を解決するための手段】
すなわち、本発明は、液体用容器の容器口部に永久磁石を装着することを特徴とする液体用容器である。
【０００６】
【発明の実施の形態】
液体用容器は、種々な形状を有し、その容器口部を密封するクロージュアーにも種々の形態がある。例えば王冠、スクリューキャップ、ロールオンキャップ、ピルファープルーフキャップ、ツィストオフキャップ、サイドシールキャップ、フルートキャップ、セキュロキャップ、フレーバーロックキャップ、ローヤルキャップ、ステルキャップ、オムニアキャップ、ターンオフ王冠、ラグキャップ等が知られている。
そしてこれらの種々のクロージュアーを装着する液体用容器の容器口部の構造は、大別して螺刻された形態と未螺刻の形態の２種類に分類される。
本発明は、これらの液体用容器の容器口部に永久磁石を装着するものである。
【０００７】
【実施例】
次に本発明を図面を参照しながら詳細に説明するが、本発明は以下の説明のみに限定されるものではない。
図１は、容器口部１の外周面にねじ山２が螺刻された容器を示した部分拡大断面図である。この容器口部１に装着する永久磁石の形状は、図２に示すように、上下貫通する円筒型永久磁石３の内壁面にねじ山４を螺刻したものが挙げられる。また他の態様としては、図３に示すようにペンシル型永久磁石５が挙げられる。このペンシル型永久磁石５は、円筒型永久磁石３に比べて液体を磁気処理する時間が長くなるため調味液等の旨味等を一層向上させることができる。
図２および図３に示す形状を有する永久磁石は、容器口部１に螺着することに一体的に装着することができる。また容器口部１の口径より大きい口径の前記永久磁石を用いても液体用容器を傾けた状態とすることによって容器口部１に螺刻されたねじ山１と永久磁石に螺刻されたねじ山４とが互に係止されることから永久磁石が容器口部１から脱落することなく使用することができる。
【０００８】
一方容器口部１にねじ山が螺刻されていない液体用容器の場合には図４に示すような台形型永久磁石６を使用する。この台形型永久磁石６は、容器口部１に冠着した場合に、容器口部１の外縁部７と密着してずれなくするために、台形型永久磁石６の内壁面に垂直方向に例えば帯状の滑り止め材８を設ける。この滑り止め材８の素材としてはゴム、軟質合成樹脂、スポンジ等の可撓性を有するものが好ましい。そしてこの滑り止め材８は対称的に少なくとも一対設けることが好ましい。
また台形型永久磁石６は図５に示すように容器口部１にねじ山２が螺刻された液体用容器にも好適に用いることができる。
【０００９】
さらに、この台形型永久磁石６は図６に示すように、各々異なる大きさのものを用いて互いに連結できるように複数個組合せて多段台形型永久磁石９とすることによって、適宜の口径の台形型永久磁石６を選択して用いることにより、種々の容器口部１の異なる液体用容器に使用することができる。また、この多段台形型永久磁石９は、容器口部１の口径が大きくなるに従って段数を増やすことができるために、磁気処理時間が長くなることから内容物を充分に処理することができる。
【００１０】
多段台形型永久磁石９は連結部１０から液漏れ等がないように、各々の連結部１０が密着していることが好ましい。また他の態様として図７に示すように、個々の台形型永久磁石６の下縁部に鍔部１１を設け、その上部に可撓性素材で作られた例えばＯリング１２を環装することによって、下段の台形型永久磁石６の上縁部との隙間が封止され、液漏れを防止することができる。
【００１１】
さらに本発明の永久磁石は、図８に示すような図２および図４の永久磁石の形状の複合型永久磁石１３とすることもできる。すなわち、この複合型永久磁石１３の内壁面の上部を円筒状中空部１４とし、下部を台形状中空部１５とし、この円筒状中空部１４と台形状中空部１５との境界部に設けられる棚部に溝１６を設ける。また円筒状中空部１４を構成する壁部の長さｌは任意の長さに調整することができる。この長さｌを長くすることによって、磁気処理時間を長くすることができる。棚部に溝１６を設けることによって、液体用容器を傾けて内容物を取り出した後、元の位置に戻しても円筒状中空部１４に若干量残存している内容物は溝１６に入ることから、容器口部１の外周面に沿って液だれすることを防止することができる。
【００１２】
本発明の液体用容器に充填できる内容物としては、ミネラルウォーター、ジュース、牛乳、麺つゆ、ドレッシング、ぽん酢、醤油等が挙げられる。
【００１３】
【発明の効果】
本発明の液体用容器から喫食時に内容物を取り出すことによって、内容物をまろやかな味としたり、旨味が増す等の食味を向上させることができる。
【図面の簡単な説明】
【図１】液体用容器の容器口部の部分拡大断面図。
【図２】円筒型永久磁石の断面図。
【図３】ペンシル型永久磁石の断面図。
【図４】台形型永久磁石の断面図。
【図５】容器口部に台形型永久磁石を冠着させた状態を示す断面図。
【図６】多段台形型永久磁石の断面図。
【図７】台形型永久磁石の下端部を示す部分断面図。
【図８】複合型永久磁石の断面図。
【符号の説明】
１：容器口部
３：円筒型永久磁石
４：ねじ山
５：ペンシル型永久磁石
６：台形型永久磁石
８：滑り止め材
９：多段台形型永久磁石
１１：鍔部
１２：Ｏリング
１６：溝
【図１】
2005022697.tif 000003
【図２】
2005022697.tif 000004
【図３】
2005022697.tif 000005
【図４】
2005022697.tif 000006
【図５】
2005022697.tif 000007
【図６】
2005022697.tif 000008
【図７】
2005022697.tif 000009
【図８】
2005022697.tif 000010